(57)【要約】【課題】ファンから圧送される空気の一部を駆動モータの冷却風として取り込むブロワユニットにおいて、冷却風の流路抵抗を低下させる。【解決手段】ファンと、ファンを回転駆動する駆動モータと、ファン及び駆動モータとを収容するブロワケース１とを備えるブロワユニットであって、ブロワケース１は、ファンにより圧送される空気の一部を駆動モータの冷却風として取り込む冷却風導入口１ｄと、空気の流れ方向における冷却風導入口１ｄの上流側の壁面に形成され、空気の流れ方向と交差する冷却風導入口１ｄの幅方向に沿って延伸する防水溝１ｆとを有する。【選択図】図２
2020076349.tif 000002
【特許請求の範囲】
【請求項１】
ファンと、ファンを回転駆動する駆動モータと、前記ファン及び前記駆動モータとを収容するケースとを備えるブロワユニットであって、
前記ケースは、
前記ファンにより圧送される空気の一部を前記駆動モータの冷却風として取り込む冷却風導入口と、
前記空気の流れ方向における前記冷却風導入口の上流側の壁面に形成され、前記空気の流れ方向と交差する前記冷却風導入口の幅方向に沿って延伸する溝部と
を有する
ことを特徴とするブロワユニット。
【請求項２】
前記溝部は、前記延伸方向における両端部のうちの少なくとも一方が、前記冷却風導入口の幅方向にて、前記冷却風導入口の同じ側に位置する一方の端部よりも外側に配置されていることを特徴とする請求項１記載のブロワユニット。
【請求項３】
前記溝部は、前記延伸方向における両端部のうちの他方が、前記冷却風導入口の幅方向にて、前記冷却風導入口の同じ側に位置する他方の端部よりも外側に配置されていることを特徴とする請求項２記載のブロワユニット。
【請求項４】
前記溝部は、前記空気の流れ方向に沿った方向から見て前記冷却風導入口の幅方向における中央に重なる部位と比較して、端部が前記冷却風導入口に近接して配置されていることを特徴とする請求項１〜３いずれか一項に記載のブロワユニット。
【請求項５】
前記空気の流れ方向に、前記溝部が複数配列されていることを特徴とする請求項１〜４いずれか一項に記載のブロワユニット。
【発明の詳細な説明】
【技術分野】
【０００１】
本発明は、ブロワユニットに関するものである。
【背景技術】
【０００２】
車両に搭載される車両用空調システムには、空調ユニットに対して外気あるいは内気を圧送するためのブロワユニットが備えられている。このブロワユニットでは、駆動モータによってファンを回転駆動させ、ファンの回転駆動によって発生された空気流をケース内部の流路を通じて空調ユニットに案内する。
【０００３】
例えば、特許文献１に開示されたブロワユニットでは、ファンの回転駆動によって生成された空気流の一部を駆動モータの冷却風として利用している。特許文献１に開示されたブロワユニットでは、ケースの一部に設けられた冷却風導入口から空気流の一部を取り込み、取り込んだ空気を駆動モータに供給している。
【先行技術文献】
【特許文献】
【０００４】
【特許文献１】特開２００７−００１５４１号公報
【発明の概要】
【発明が解決しようとする課題】
【０００５】
ところで、ファンに対しては、外気等の水分を含んだ空気が導入される場合もある。このため、駆動モータに対して水分が供給されないように対策する必要がある。特許文献１に開示されたブロワユニットにおいては、冷却風導入口の内側にバッファ室となる空気取込室を形成し、空気取込室の内部に駆動モータに繋がる冷却空気口を設けると共に冷却空気口の上流側に防水壁を立設している。このような特許文献１によれば、空気取込室に流入した空気が防水壁に衝突し、水分が防水壁に付着することで空気中から水分を除去することができる。
【０００６】
しかしながら、特許文献１に開示されたブロワユニットでは、防水壁によって駆動モータに至るまでの経路の圧力損失が高まる。このため、大型の駆動モータやファンを設置しなければ、駆動モータに対して供給される冷却風の流量が十分に確保できない恐れがある。
【０００７】
本発明は、上述する問題点に鑑みてなされたもので、ファンから圧送される空気の一部を駆動モータの冷却風として取り込むブロワユニットにおいて、冷却風の流路抵抗を低下させることを目的とする。
【課題を解決するための手段】
【０００８】
本発明は、上記課題を解決するための手段として、以下の構成を採用する。
【０００９】
第１の発明は、ファンと、ファンを回転駆動する駆動モータと、上記ファン及び上記駆動モータとを収容するケースとを備えるブロワユニットであって、上記ケースが、上記ファンにより圧送される空気の一部を上記駆動モータの冷却風として取り込む冷却風導入口と、上記空気の流れ方向における上記冷却風導入口の上流側の壁面に形成され、上記空気の流れ方向と交差する上記冷却風導入口の幅方向に沿って延伸する溝部とを有するという構成を採用する。
【００１０】
第２の発明は、上記第１の発明において、上記溝部が、上記延伸方向における両端部のうちの少なくとも一方が、上記冷却風導入口の幅方向にて、上記冷却風導入口の同じ側に位置する一方の端部よりも外側に配置されているという構成を採用する。
【００１１】
第３の発明は、上記第２の発明において、上記溝部が、上記延伸方向における両端部のうちの他方が、上記冷却風導入口の幅方向にて、上記冷却風導入口の同じ側に位置する他方の端部よりも外側に配置されているという構成を採用する。
【００１２】
第４の発明は、上記第１〜第３いずれかの発明において、上記溝部が、上記空気の流れ方向に沿った方向から見て上記冷却風導入口の幅方向における中央に重なる部位と比較して、端部が上記冷却風導入口に近接して配置されているという構成を採用する。
【００１３】
第５の発明は、上記第１〜第４いずれかの発明において、上記空気の流れ方向に、上記溝部が複数配列されているという構成を採用する。
【発明の効果】
【００１４】
本発明によれば、冷却風導入口の上流側のケース壁面に、冷却風導入口の幅方向に沿って延伸する溝部が設けられているため、ケース壁面を伝って空気流に押されて冷却風導入口に向かう水滴が溝部に流れ込むことによって捕捉される。さらに、溝部に捕捉された水分は溝部の端部まで流れ、溝部の端部から空気流に押し流される。つまり、本発明によれば、ケース壁面を伝って冷却風導入口に向かう水分を溝部によって冷却風導入口の幅方向に移動させ、冷却風導入口への入りにくい位置に案内することができ、冷却風導入口への水分の侵入を抑止することができる。したがって、本発明によれば、防水壁を設ける必要がなく、ファンから圧送される空気の一部を駆動モータの冷却風として取り込むブロワユニットにおいて、防水壁を設置する場合よりも冷却風の流路抵抗を低下させたうえで、冷却風導入口への水分の侵入を抑止することが可能となる。
【図面の簡単な説明】
【００１５】
【図１】本発明の第１実施形態におけるブロワユニットの概略構成を示す断面図である。
【図２】本発明の第１実施形態におけるブロワユニットの空気取込室を含む拡大断面図であり、図１のＡ−Ａ断面図である。
【図３】（ａ）が本発明の第１実施形態におけるブロワユニットが備えるケースに設けられた冷却風導入口を含む拡大図であり、（ｂ）が本発明の第１実施形態におけるブロワユニットの変形例が備えるケースに設けられた冷却風導入口を含む拡大図である。
【図４】本発明の第２実施形態におけるブロワユニットが備えるケースに設けられた冷却風導入口を含む拡大図である。
【発明を実施するための形態】
【００１６】
以下、図面を参照して、本発明に係るブロワユニットの一実施形態について説明する。
【００１７】
（第１実施形態）
図１は、本第１実施形態のブロワユニットＳ１の概略構成を示す断面図である。本実施形態のブロワユニットＳ１は、車両用空調システムに備えられるユニットであり、空調ユニットに対して空気を圧送する。図１に示すように、本実施形態のブロワユニットＳ１は、ブロワケース１（ケース）と、ブロワケース１内に設置されるファン２と、ファン２を回転駆動する駆動モータ３等を備えている。
【００１８】
ブロワケース１は、上部から見た形状が略円形に形状設定されており、内部にファン２及び駆動モータ３を収容している。このようなブロワケース１は、図１に示すように、中央上部にファン２を収容するファン収容室１ａを備え、中央下部に駆動モータ３を収容する駆動モータ収容室１ｂを備えている。また、ファン収容室１ａの上部には、不図示のブロワダクトに接続する開口１ａ１が形成されている。
【００１９】
さらに、ブロワケース１は、ファン収容室１ａ及び駆動モータ収容室１ｂを囲んで配置されるスクロール流路１ｃ（空気流路）を備えている。図１には示されていないが、スクロール流路１ｃは、ファン収容室１ａと接続されており、ファン２によって圧送される空気が流れる空気流路として機能する。そして、スクロール流路１ｃの吐出側端部（不図示）が空調ユニットに繋がるダクトと接続されている。
【００２０】
また、図１に示すように、ブロワケース１の内部には、冷却風導入口１ｄを介してスクロール流路１ｃと接続される空気取込室１ｅが設けられている。図２は、空気取込室１ｅを含む拡大断面図であり、図１のＡ−Ａ断面図である。図１及び図２に示すように、この空気取込室１ｅの内部には、駆動モータ３に通じるモータ導通口１０が設けられている。このモータ導通口１０は、空気取込室１ｅと駆動モータ収容室１ｂとを接続する接続流路１１の空気取込室１ｅ側の開口端によって構成されている。
【００２１】
このような本実施形態のブロワユニットＳ１では、ファン２によって圧送された空気流の一部が冷却風導入口１ｄを通じて空気取込室１ｅに取り込まれ、冷却風導入口１ｄを介して空気取込室１ｅに取り込まれた空気がモータ導通口１０から駆動モータ収容室１ｂに冷却風として導入されるように構成されている。なお、空気取込室１ｅの床面１ｅ１が冷却風導入口１ｄに向けて低くなるように傾斜されており、モータ導通口１０は、当該床面１ｅ１に形成され、上方に向けて開口されている。
【００２２】
図３（ａ）は、スクロール流路１ｃ側から見た冷却風導入口１ｄを含む拡大図である。この図に示すように、本実施形態のブロワユニットＳ１において、ブロワケース１は、スクロール流路１ｃにおける空気の流れ方向における冷却風導入口１ｄの上流側の壁面に防水溝１ｆ（溝部）を有している。この防水溝１ｆは、図３（ａ）に示すように、冷却風導入口１ｄの幅方向（スクロール流路１ｃにおける空気の流れ方向と直交（交差）しかつケース壁面に沿った方向）に直線状に延伸して設けられている。
【００２３】
防水溝１ｆの延伸方向における両端部（一方の端部１ｆ１と他方の端部１ｆ２）は、冷却風導入口１ｄの幅方向の端部（一方の端部１ｄ１と他方の端部１ｄ２）よりも外側に配置されている。つまり、防水溝１ｆの一方の端部１ｆ１は、冷却風導入口１ｄの幅方向にて、一方の端部１ｆ１と同じ側に位置する冷却風導入口１ｄの一方の端部１ｄ１よりも外側に位置している。さらに、防水溝１ｆの他方の端部１ｆ２は、冷却風導入口１ｄの幅方向にて、他方の端部１ｆ２と同じ側に位置する冷却風導入口１ｄの他方の端部１ｄ２よりも外側に位置している。このような防水溝１ｆは、一方の端部１ｆ１から他方の端部１ｆ２までの距離が、冷却風導入口１ｄの幅方向の寸法よりも大きく設定されている。
【００２４】
このような防水溝１ｆは、ケース壁面に付着した水滴がスクロール流路１ｃを流れる空気流に流されて冷却風導入口１ｄに向かうときに、水滴を捕捉して冷却風導入口１ｄに水分が侵入することを抑制する。より詳細には、ケース壁面を伝って空気流に押されて冷却風導入口１ｄに向かう水滴は、防水溝１ｆと接触すると、毛細管現象等の力によって防水溝１ｆの内部に流れ込む。防水溝１ｆに流れ込んだ水分は防水溝１ｆの端部（一方の端部１ｆ１と他方の端部１ｆ２）まで流れ、防水溝１ｆの端部から空気流に押し流される。つまり、防水溝１ｆに取り込まれた水分は、防水溝１ｆの端部まで移動されることで冷却風導入口１ｄを避けるように冷却風導入口１ｄの幅方向に移動された後に、防水溝１ｆから排水される。このため、防水溝１ｆは、ケース壁面に付着して冷却風導入口１ｄに向かう水滴を捕捉し、冷却風導入口１ｄに水分が侵入することを抑止する。
【００２５】
図１に戻り、ファン２は、シャフト４を介して駆動モータ３と接続されており、駆動モータ３によって生成された動力がシャフト４を介して伝達されることによって回転駆動される。そして、ファン２が回転駆動されることによって空気が圧送されてスクロール流路１ｃに空気流が形成される。
【００２６】
駆動モータ３は、外部から入力される指令信号に基づいて動作し、上述のようにファン２を回転駆動するための動力を発生する。本実施形態において駆動モータ３は、モータ導通口１０に入り込んだ空気が冷却風として吹き付けられることによって冷却される。
【００２７】
このような構成を有する本実施形態のブロワユニットＳ１では、駆動モータ３が動作されてスクロール流路１ｃに空気流が形成される。ブロワユニットＳ１で生成された空気流は、空調ユニットに供給される。また、スクロール流路１ｃに空気流が形成されると、空気の一部が冷却風導入口１ｄを介して空気取込室１ｅに取り込まれ、モータ導通口１０を通じて冷却風として駆動モータ３に吹き付けられる。
【００２８】
ここで、本実施形態のブロワユニットＳ１によれば、冷却風導入口１ｄの上流側のケース壁面に、冷却風導入口１ｄの幅方向に沿って延伸する防水溝１ｆが設けられているため、ケース壁面を伝って空気流に押されて冷却風導入口１ｄに向かう水滴が防水溝１ｆに流れ込むことによって捕捉される。さらに、防水溝１ｆに捕捉された水分は防水溝１ｆの端部まで流れ、防水溝１ｆの端部から空気流に押し流される。
【００２９】
つまり、本実施形態のブロワユニットＳ１によれば、ケース壁面を伝って冷却風導入口１ｄに向かう水分を防水溝１ｆによって冷却風導入口１ｄの幅方向に移動させ、冷却風導入口１ｄへ入りにくい位置に案内することができ、冷却風導入口１ｄへの水分の侵入を抑止することができる。
【００３０】
したがって、本実施形態のブロワユニットＳ１によれば、防水壁を設ける必要がなく、ファン２から圧送される空気の一部を駆動モータ３の冷却風として取り込むブロワユニットＳ１において、防水壁を設置する場合よりも冷却風の流路抵抗を低下させたうえで、冷却風導入口１ｄへの水分の侵入を抑止することが可能となる。
【００３１】
また、本実施形態のブロワユニットＳ１においては、防水溝１ｆの一方の端部１ｆ１が、冷却風導入口１ｄの幅方向にて、一方の端部１ｆ１と同じ側に位置する冷却風導入口１ｄの一方の端部１ｄ１よりも外側に位置している。さらに、防水溝１ｆの他方の端部１ｆ２は、冷却風導入口１ｄの幅方向にて、他方の端部１ｆ２と同じ側に位置する冷却風導入口１ｄの他方の端部１ｄ２よりも外側に位置している。このため、防水溝１ｆのいずれかの端部から排出された水分は、冷却風導入口１ｄの幅方向にて冷却風導入口１ｄの外側に排出される。このため、排出された水分が再び空気流に押されて空気流の流れ方向に沿って移動されても、水分が冷却風導入口１ｄに入り込むことを防止できる。
【００３２】
また、図３（ｂ）に示すように、スクロール流路１ｃの空気流の流れ方向において防水溝１ｆが複数配列された構成を採用することも可能である。このように防水溝１ｆを複数配列することによって、より多くの水分を捕捉することができるため、より確実に冷却風導入口１ｄに水分が侵入することを防止することができる。なお、複数の防水溝の形状は必ずしも同一である必要はない。
【００３３】
（第２実施形態）
次に、本発明の第２実施形態について、図４を参照して説明する。なお、本実施形態の説明において、上記第１実施形態と同様の部分については、その説明を省略あるいは簡略化する。
【００３４】
図４（ａ）は、本実施形態のブロワユニットの冷却風導入口１ｄを含む領域をスクロール流路１ｃ側から見た拡大図である。この図に示すように、本実施形態のブロワユニットにおいてケースは、屈曲された防水溝１ｇを備えている。
【００３５】
防水溝１ｇは、一方の端部１ｇ１と他方の端部１ｇ２との間の中央部がスクロール流路１ｃでの空気の流れ方向における上流側に位置し、一方の端部１ｇ１と他方の端部１ｇ２とが空気の流れ方向における下流側に位置している。つまり、防水溝１ｇは、空気の流れ方向に沿った方向から見て冷却風導入口１ｄの幅方向における中央に重なる部位と比較して、端部が冷却風導入口１ｄに近接して配置されている。
【００３６】
また、防水溝１ｇの両端部（一方の端部１ｇ１と他方の端部１ｇ２）は、冷却風導入口１ｄの幅方向の端部（一方の端部１ｄ１と他方の端部１ｄ２）よりも外側に配置されている。つまり、防水溝１ｇの一方の端部１ｇ１は、冷却風導入口１ｄの幅方向にて、一方の端部１ｇ１と同じ側に位置する冷却風導入口１ｄの一方の端部１ｄ１よりも外側に位置している。さらに、防水溝１ｇの他方の端部１ｇ２は、冷却風導入口１ｄの幅方向にて、他方の端部１ｇ２と同じ側に位置する冷却風導入口１ｄの他方の端部１ｄ２よりも外側に位置している。
【００３７】
このような本実施形態のブロワユニットによれば、防水溝１ｇは、空気の流れ方向に沿った方向から見て冷却風導入口１ｄの幅方向における中央に重なる部位と比較して、端部が冷却風導入口１ｄに近接して配置されている。このため、防水溝１ｇに捕捉された水分が空気流に押されて防水溝１ｇの一方の端部１ｇ１あるいは他方の端部１ｇ２に向けて流れやすくなり、防水溝１ｇからの水分の排水を円滑に行うことが可能となる。
【００３８】
また、本実施形態のブロワユニットＳ１においては、防水溝１ｇの一方の端部１ｇ１が、冷却風導入口１ｄの幅方向にて、一方の端部１ｇ１と同じ側に位置する冷却風導入口１ｄの一方の端部１ｄ１よりも外側に位置している。さらに、防水溝１ｇの他方の端部１ｇ２は、冷却風導入口１ｄの幅方向にて、他方の端部１ｇ２と同じ側に位置する冷却風導入口１ｄの他方の端部１ｄ２よりも外側に位置している。このため、防水溝１ｇのいずれかの端部から排出された水分は、冷却風導入口１ｄの幅方向にて冷却風導入口１ｄの外側に排出される。このため、排出された水分が再び空気流に押されて空気流の流れ方向に沿って移動されても、水分が冷却風導入口１ｄに入り込むことを防止できる。
【００３９】
なお、図４（ｂ）に示すように、防水溝１ｇを、中央部が空気の流れ方向における上流側に膨出した湾曲形状とすることも可能である。また、図４（ｃ）に示すように、防水溝１ｇを、中央部分で分割した形状とすることも可能である。
【００４０】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４１】
例えば、上記第１実施形態においては、防水溝１ｆが、冷却風導入口１ｄの幅方向と平行な直線状とされた構成について説明した。しかしながら、本発明はこれに限定されるものではない。例えば、冷却風導入口１ｄの幅方向に対して傾斜した直線状の防水溝を設ける構成を採用することも可能である。
【００４２】
また、上記実施形態においては、防水溝１ｆの端部（一方の端部１ｆ１及び他方の端部１ｆ２）の両方あるいは防水溝１ｇの端部（一方の端部１ｇ１及び他方の端部１ｇ２）の両方が、冷却風導入口１ｄの幅方向において、冷却風導入口１ｄの外側に配置された構成について説明した。しかしながら、本発明はこれに限定されるものではない。僅かであっても水滴を冷却風導入口１ｄの幅方向に移動させることによって冷却風導入口１ｄへの水分の侵入を抑制できると考えられることから、防水溝の端部は必ずしも冷却風導入口１ｄの幅方向において、冷却風導入口１ｄの外側に配置されている必要はない。ただし、防水溝の両端部のうち少なくともいずれかは、冷却風導入口１ｄの外側に配置されていることが好ましい。
【００４３】
また、例えば、端部が中央部と比較して細くあるいは浅くなる防水溝を備える構成を採用することも可能である。このような構成を採用することによって、毛細管現象や風圧を利用して防水溝の端部に向けて水分を移動させやすくなると共に、端部の空間容積が中央部の空間容積よりも小さくなることで水分を防水溝の端部から排水しやすくすることが可能となる。
【００４４】
また、例えば、防水溝の延伸方向と直交する断面形状は、矩形形状に限られず、三角形状や半円形状とすることも可能である。例えば、防水溝の延伸方向と直交する断面形状を、冷却風導入口１ｄ側が反対側よりも深くなった三角形状とすることによって、防水溝に水滴が入りやすく、かつ防水溝の中央部から水分が溢れ出し難くすることが可能となる。
【符号の説明】
【００４５】
１……ブロワケース（ケース）、１ｄ……冷却風導入口、１ｄ１……端部、１ｄ２……端部、１ｆ……防水溝、１ｆ１……端部、１ｆ２……端部、１ｇ……防水溝、１ｇ１……端部、１ｇ２……端部、２……ファン、３……駆動モータ、４……シャフト、１０……モータ導通口、１１……接続流路、Ｓ１……ブロワユニット
【図１】
2020076349.tif 000003
【図２】
2020076349.tif 000004
【図３】
2020076349.tif 000005
【図４】
2020076349.tif 000006